(57)【要約】【課題】光書込装置を複雑化せず、コストをかけずに、プラスチックレンズ自身に生じる局部的歪みを解消した光書込装置等を提供する。【解決手段】光ビームを光偏向器で偏向走査し、その光を一つ以上のプラスチック製レンズ（５０４）を通じて像担持体の被走査面上に導き結像する光学系及び、光偏向器（５０５）が配置される光学ハウジング空間の一部が縦壁（５０１ａ，５０１ｂ）にて区切られた光書込装置において、前記レンズの高さ方向の位置決めを行うために、光学ハウジングの基盤部（５０６）よりも高い位置に前記レンズを固定配置し、レンズ固定配置部（５０３ａ，５０３ｂ，５０３ｃ）は３ヶ所以上であり、該レンズ固定配置部と前記縦壁とを繋ぐ第１の繋ぎ部材（５０２ａ，５０２ｂ）を備えた。【選択図】図５
2006243177.tif 000002
【特許請求の範囲】
【請求項１】
光源ユニットからの光ビームを光偏向器により偏向走査し、該光偏向器からの光を一つ以上のプラスチック製レンズを通じて像担持体の被走査面上に導き結像する光学系及び、光偏向器が配置される光学ハウジングの空間の一部が縦壁にて区切られてなる光書込装置において、
前記プラスチック製レンズの高さ方向の位置決めを行うために、前記光学ハウジングの基盤部よりも高い位置に前記プラスチック製レンズを固定するように配置すると共に、該レンズ固定配置部は３ヶ所以上であり、該３ヶ所以上のレンズ固定配置部と前記光偏向器を区切る縦壁とを繋ぐ第１の繋ぎ部材を備えたことを特徴とする光書込装置。
【請求項２】
請求項１記載の光書込装置において、
前記第１の繋ぎ部材は、前記光学ハウジングを構成する材質よりも熱伝導率が高い材質であることを特徴とする光書込装置。
【請求項３】
請求項１記載の光書込装置において、
前記第１の繋ぎ部材は、前記光学ハウジングと一体で構成していることを特徴とする光書込装置。
【請求項４】
請求項１記載の光書込装置において、
該光書込装置は、前記光偏向器を固定するハウジングボスを備え、該ハウジングボスと前記縦壁とを繋ぐ第２の繋ぎ部材を備えたことを特徴とする光書込装置。
【請求項５】
請求項１〜請求項４の何れかに記載の光書込装置において、
前記縦壁から出た第１の繋ぎ部材は、前記レンズ固定配置部手前で一旦一箇所に収束する収束部材を備え、該収束部材と前記レンズ固定配置部とを繋ぐ第３の繋ぎ部材を備えたことを特徴とする光書込装置。
【請求項６】
請求項５記載の光書込装置において、
前記収束部材の材質は、前記第１の繋ぎ部材よりも熱伝導率が高い材質であることを特徴とする光書込装置。
【請求項７】
請求項５または請求項６記載の光書込装置において、
前記収束部材から前記レンズ固定配置部までの距離は、等距離であることを特徴とする光書込装置。
【請求項８】
請求項１〜請求項７のいずれかに記載の光書込装置を用いたことを特徴とする画像形成装置。
【発明の詳細な説明】
【技術分野】
【０００１】
本発明は、光書込装置、及び該光書込装置を備えた画像形成装置に関し、特に、光書込装置を複雑化することなく、さらにコストをかけずに光偏向器で発生する熱を不均一に光学素子に伝わるのを防ぐ構成とすることにより、プラスチック製レンズ自身に生じる局部的な歪みを解消した光書込装置、及び該光書込装置を備えた画像形成装置に関する。
【背景技術】
【０００２】
複写機，プリンタ，ファクシミリ，プロッタ等の画像形成装置の中に、像担持体の被走査面上に光ビームを照射して潜像を書き込む光書込装置を備え、像担持体に形成された潜像を現像剤で現像した後、順次転写材に転写して定着手段により定着するタイプのものがある。
【０００３】
近年、光走査装置（光書込装置）の印刷速度の向上が求められ、それに伴い光走査装置の構成部品である光偏向器は、高速回転することが要求されている。
この高速回転化にともない、光偏向器を構成するモータへ供給する電力の電流値は大きくなり、このため、モータの構成部品であるステータの発熱量は極めて大きなものとなる。
このように、光偏向器で発生する熱量が極めて大きいので、この熱が光偏向器を固定しているハウジングを通じて、プラスチック製レンズに伝わりレンズ自身が歪むという問題がある。
【０００４】
さらに、プラスチック製レンズへの熱の伝わり方も通常では熱源を中心に同心円状に伝わり、後述する図４に示すように、プラスチック製レンズ上において温度偏差が生じ、プラスチック製レンズ内部での膨張率が異なり、局部的な倍率ズレ、一定長の倍率の偏差が異なるといた不具合が発生してしまう。
【０００５】
このような問題を解決するために、まずは発熱自体を低減し、かつこの発熱を伝導しないように、光偏向器部を密閉することを前提としつつ、密閉室内の圧力を制御する提案がある（例えば、特許文献１参照）。
【特許文献１】特開平１０−２２１６３３号公報
【発明の開示】
【発明が解決しようとする課題】
【０００６】
しかしながら、前記特許文献１の従来技術のように、光偏向器部を密閉した場合、そのための蓋部材の追加、圧力制御装置の追加が必要となり光書込装置が複雑化し、コストがかかるという問題がある。
さらに、発熱を抑えるために、従来から一般的にはファンモータを使用し、ダクトによりポリゴンモータ近傍、光書込装置自体を冷却するといったような強制冷却を行い、光学素子に伝熱しないようにしているが、光書込装置が複雑化し、コストがかかるという問題がある。
【０００７】
本発明は上記の問題を解決するためになされたものであり、光書込装置を複雑化することなく、さらにコストをかけずに光偏向器で発生する熱を不均一に光学素子に伝わる（レンズ全体に均一に温度を伝える）のを防ぐ構成とすることにより、プラスチック製レンズ自身に生じる局部的な歪みを解消した光書込装置、及び該光書込装置を備えた画像形成装置の提供を目的とする。
【課題を解決するための手段】
【０００８】
この目的を達成するために請求項１記載の発明は、光源ユニットからの光ビームを光偏向器により偏向走査し、該光偏向器からの光を一つ以上のプラスチック製レンズ（図５のＦθレンズ５０４）を通じて像担持体の被走査面上に導き結像する光学系及び、光偏向器（５０５）が配置される光学ハウジングの空間の一部が縦壁（５０１ａ，５０１ｂ）にて区切られてなる光書込装置において、
前記プラスチック製レンズの高さ方向の位置決めを行うために、前記光学ハウジングの基盤部（５０６）よりも高い位置に前記プラスチック製レンズを固定するように配置すると共に、該レンズ固定配置部（レンズ受け部５０３ａ，５０３ｂ，５０３ｃ）は３ヶ所以上であり、該３ヶ所以上のレンズ固定配置部と前記光偏向器を区切る縦壁とを繋ぐ第１の繋ぎ部材（５０２ａ，５０２ｂ）を備えた構成としてある。
【０００９】
以上の構成を図示すると、例えば図５に示すようになる。このようにすれば、プラスチック製レンズを配置する部分がハウジング基盤部よりも高さ方向で高い位置に配置され、その配置部の一部と光偏向器配置空間の縦壁を繋げた構成としたので、ポリゴンモータが回転したときに発生する温風（モータドライバ、コイルの発熱による温風）が縦壁にあたり縦壁の温度が上昇し、その熱が第１の繋ぎ部材を通じレンズ固定配置部を温めハウジングを直接伝わってくる熱によるレンズの温度上昇と干渉して、最終的にはＦθレンズの温度が均一になり、プラスチック製レンズ自身に生じる局部的な歪みという問題を解決できる。
【００１０】
また、請求項２記載の発明は、請求項１記載の光書込装置において、
前記第１の繋ぎ部材（５０２ａ，５０２ｂ）は、前記光学ハウジングを構成する材質よりも熱伝導率が高い材質である構成としてある。
【００１１】
このようにすれば、請求項１の作用効果に加え、第１の繋ぎ部材をハウジング材質よりも熱伝導率が高い材質としたことにより、熱伝導が高い効果を発揮できる。（ハウジング基盤全体から伝わる熱に近づく）
また、第１の繋ぎ部材に伝わる熱量が増え、ハウジング基盤に伝わる熱量は若干減り、プラスチック製レンズ自体の温度上昇も低く抑えることができる。
【００１２】
また、請求項３記載の発明は、請求項１記載の光書込装置において、
前記第１の繋ぎ部材（５０２ａ，５０２ｂ）は、前記光学ハウジングと一体に構成してある。
【００１３】
このようにすれば、請求項１の構成に加え、第１の繋ぎ部材をハウジングと一体で成型することにより、簡単にリブ（第１の繋ぎ部材）形状を構成でき、請求項１の効果を簡単な構成で発揮できる。
【００１４】
また、請求項４記載の発明は、請求項１記載の光書込装置において、
該光書込装置は、前記光偏向器を固定するハウジングボス（図６の６００）を備え、該ハウジングボスと前記縦壁（５０１ａ，５０１ｂ）とを繋ぐ第２の繋ぎ部材（６０１ａ，６０１ｂ，６０１ｃ，６０１ｄ，６０１ｅ，６０１ｆ）を備えた構成としてある。
【００１５】
以上の構成を図示すると、例えば図６に示すようになる。このようにすれば、請求項１の構成に加え、光偏向器固定用のハウジングボスと縦壁を第２の繋ぎ部材で繋いだので、光偏向器の回転による光偏向器基板の温度をより縦壁に伝えやすくなる。これにより、請求項１の作用効果をより発揮することができ、最終的にはＦθレンズの温度が均一になりプラスチック製レンズ自身に生じる局部的な歪みという問題を解決できる。
【００１６】
また、請求項５記載の発明は、請求項１〜請求項４の何れかに記載の光書込装置において、
前記縦壁（５０１ａ，５０１ｂ）から出た第１の繋ぎ部材（図７の５０２ｃ，５０２ｄ）は、前記レンズ固定配置部（７０１ａ，７０１ｂ，７０１ｄ，７０１ｅ）手前で一旦一箇所に収束する収束部材（７００）を備え、該収束部材と前記レンズ固定配置部とを繋ぐ第３の繋ぎ部材（７０２ａ，７０２ｂ，７０２ｄ，７０２ｅ）を備えた構成としてある。
【００１７】
以上の構成を図示すると、例えば図７に示すようになる。このようにすれば、縦壁から出た第１の繋ぎ部材がポリゴン配置空間からレンズまでの間で一箇所の収束部材に収束し、その後、レンズ固定配置部へ伸びている構成としたので、縦壁の熱は収束部材に集中し、そこを熱源としてその後の第３の繋ぎ部材に均等に振り分けられ、万遍なくFθレンズ５０４に熱を伝えることができ、最終的にはＦθレンズの温度が均一になり、プラスチック製レンズ自身に生じる局部的な歪みという問題を解決できる。
【００１８】
また、請求項６記載の発明は、請求項５記載の光書込装置において、
前記収束部材（図７の７００）の材質は、前記第１の繋ぎ部材（５０２ｃ，５０２ｄ）よりも熱伝導率が高い材質である構成としてある。
【００１９】
このようにすれば、縦壁から出た第１の繋ぎ部材がポリゴン配置空間からレンズまでの間で一箇所の収束部材に収束し、収束部材の材質を第１の繋ぎ部材よりも熱伝導率が高い材質とし、その後、レンズ固定配置部へ伸びている構成としたため、縦壁の熱は請求項５よりもより収束部材に集中し、そこを熱源としてその後の第２の繋ぎ部材（７０２ａ，７０２ｂ，７０２ｄ，７０２ｅ）に均等に振り分けられ、万遍なくFθレンズに熱を伝えることができ、最終的にはＦθレンズの温度が均一になり、プラスチック製レンズ自身に生じる局部的な歪みという問題を解決できる。
【００２０】
また、請求項７記載の発明は、請求項５または請求項６記載の光書込装置において、
前記収束部材（図８の７００）から前記レンズ固定配置部（７０１ａ，７０１ｂ，７０１ｄ，７０１ｅ）までの距離は、等距離である構成としてある。
【００２１】
以上の構成を図示すると、例えば図８に示すようになる。このようにすれば、請求項４の構成に加え、一旦収束した位置からレンズが配置されるＮ個の受け部（レンズ固定配置部）までの距離が等しい構成としたので、ハウジングからの直接的な伝熱（ポリゴンモータを中心にした同心円状に伝わる）に対し、縦壁を利用した第１の繋ぎ部材（５０２ａ，５０２ｂ）からの伝熱は収束部材に一旦集中し、以降の第２の繋ぎ部材の長さを等しくすることにより収束部材を中心に等しく伝熱でき、この効果により、ハウジングからの直接の伝熱による同心円外側の温度が低い部分をカバーでき、Fθレンズの温度均一化をより効果的に行うことができる。
【００２２】
また、請求項８記載の発明は、画像形成装置が、請求項１〜請求項７のいずれかに記載の光書込装置を用いた構成としてある。
以上の構成を図示すると、例えば図１に示すようになる。このようにすれば、画像形成装置は、請求項１〜請求項７記載の作用効果を備えた光書込装置を搭載しているので、より良好な画像を得ることができる。
【発明の効果】
【００２３】
請求項１記載の発明によれば、ポリゴンモータが回転したときに発生する温風が縦壁にあたり縦壁の温度が上昇し、その熱が繋ぎ部材を通じレンズ固定配置部を温めハウジングを直接伝わってくる熱によるレンズの温度上昇と干渉して、最終的にはＦθレンズの温度が均一になり、プラスチック製レンズ自身に生じる局部的な歪みを解決できる。
【００２４】
請求項２記載の発明によれば、請求項１の作用効果に加え、第１の繋ぎ部材をハウジング材質よりも熱伝導率が高い材質としたことにより、熱伝導が高い効果を発揮できる。また、第１の繋ぎ部材に伝わる熱量が増え、ハウジング基盤に伝わる熱量は若干減り、プラスチック製レンズ自体の温度上昇も低く抑えることができる。
【００２５】
請求項３記載の発明によれば、請求項１の構成に加え、第１の繋ぎ部材をハウジングと一体で成型することにより、簡単に第１の繋ぎ部材形状を構成でき、請求項１の効果を簡単な構成で発揮できる。
【００２６】
請求項４記載の発明によれば、請求項１の構成に加え、光偏向器固定用のハウジングボスと縦壁を第２の繋ぎ部材で繋いだので、光偏向器の回転による光偏向器基板の温度をより縦壁に伝えやすくなる。これにより、請求項１の作用効果をより発揮することができ、最終的にはＦθレンズの温度が均一になりプラスチック製レンズ自身に生じる局部的な歪みを解決できる。
【００２７】
請求項５記載の発明によれば、縦壁の熱は収束部材に集中し、そこを熱源としてその後の第３の繋ぎ部材に均等に振り分けられ、万遍なくFθレンズに熱を伝えることができ、最終的にはＦθレンズの温度が均一になり、プラスチック製レンズ自身に生じる局部的な歪み解決できる。
【００２８】
請求項６記載の発明によれば、縦壁の熱は請求項５よりもより収束部材に集中し、そこを熱源としてその後の第２の繋ぎ部材に均等に振り分けられ、万遍なくFθレンズに熱を伝えることができ、最終的にはＦθレンズの温度が均一になり、プラスチック製レンズ自身に生じる局部的な歪みを解決できる。
【００２９】
請求項７記載の発明によれば、ハウジングからの直接的な伝熱に対し、縦壁を利用した第１の繋ぎ部材からの伝熱は収束部材に一旦集中し、以降の第２の繋ぎ部材の長さを等しくすることにより収束部材を中心に等しく伝熱できる。この効果により、ハウジングからの直接の伝熱による同心円外側の温度が低い部分をカバーでき、Fθレンズの温度均一化をより効果的に行うことができる。
【００３０】
請求項８記載の発明によれば、画像形成装置は、請求項１〜請求項７記載の作用効果を備えた光書込装置を搭載しているので、より良好な画像を得ることができる。
【発明を実施するための最良の形態】
【００３１】
以下、本発明を図示の実施形態に基いて説明する。
図１は、一般的な画像形成装置の概略側面図である。
図１に示す画像形成装置は、複数の像担持体として、複数のドラム状の光導電性感光体（以下、感光体ドラム）１ ，２ ，３ ，４を並置したフルカラー画像形成装置である。
【００３２】
この４つの感光体ドラム１ ，２ ，３ ，４は、例えば図に対して右から順に、ブラック（Ｂｋ）、シアン（Ｃ）、マゼンタ（Ｍ）、イエロー（Ｙ）の各色に対応した画像を形成するものである（尚、色の順はこの限りではなく任意に設定することが可能である）。
【００３３】
その４つの感光体ドラム１ ，２ ，３ ，４の各々の周囲には、電子写真プロセスにより画像形成を行うための、帯電部（帯電ローラ、帯電ブラシ、帯電チャージャ等）６ ，７ ，８ ，９ と、光書込装置５からの光ビームＬ１ ，Ｌ２ ，Ｌ３ ，Ｌ４の露光部と、現像部（Ｂｋ ，Ｃ ，Ｍ ，Ｙの各色の現像装置）１０ ，１１ ，１２ ，１３と、転写搬送ベルト２２ａ及びその裏面に配置された転写手段（転写ローラ、転写ブラシ等）１４ ，１５ ，１６ ，１７を備えた転写搬送装置２２と、クリーニング部（クリーニングブレード、クリーニングブラシ等）１８ ，１９ ，２０ ，２１などが配設されており、それぞれの感光体ドラム１ ，２ ，３ ，４に各色の画像形成を行うことが可能となっている。
【００３４】
より詳しく述べると、図１において、図中のＺ方向を鉛直上方向、Ｘ ，Ｙ方向を水平方向とした場合、４つの感光体ドラム１ ，２ ，３ ，４の並設方向は水平面に対して傾斜しており（尚、後述する図４の場合はＸ方向に対して傾斜している）、転写搬送装置２２は４つの感光体ドラム１ ，２ ，３ ，４の並設方向と略平行となるように水平面に対して傾斜して配置されている。
そして、転写材はその傾斜方向の下方側から給紙され、転写搬送ベルト２２ａにより上方側に向けて４つの感光体ドラム１ ，２ ，３ ，４の転写部を順次搬送される構成であり、その転写材の搬送方向下流側で前記傾斜方向の上方側には定着装置２６が配設されている。
【００３５】
また、光書込装置５は、４つの感光体ドラム１ ，２ ，３ ，４が並設された作像部の斜め上方に配置され、且つ光書込装置５のハウジング５０は、４つの感光体ドラム１ ，２ ，３ ，４の並設方向と略平行となるように水平面（図中のＸ方向）に対して傾斜して配置されており、画像形成装置本体の傾斜したフレーム２９ ，３０に固定されている。
【００３６】
次に、図２，図３に基いて光書込装置の細部構成を説明する。図２は、図１において矢印Ａ方向から見た光書込装置の平面図、図３は、光書込装置の詳細断面図である。
図２，図３に示すように、光書込装置５は、４つの光源ユニット５２ ，５３ ，５４ ，５５と、各光源ユニットからの光ビームＬ１ ，Ｌ２ ，Ｌ３ ，Ｌ４を対称な２方向に振り分けて偏向走査する光偏向器６２と、この光偏向器６２を中心にして前記２方向に対称に配置され光偏向器６２により偏向走査される複数の光ビームＬ１ ，Ｌ２ ，Ｌ３ ，Ｌ４をそれぞれ対応する感光体ドラム１，２，３，４の被走査面上に導き結像する光学系（結像用レンズ６３，６４，６９，７０，７１，７２、光路折り返し用ミラー６５，６６，６７，６８，７３，７４，７５，７６，７７，７８，７９，８０等の光学部材からなる）を備えており、これらの構成部材は、一つのハウジング５０内に収納されている。
【００３７】
より具体的には、図３の断面図でも示したように、ハウジング５０は、光偏向器６２や光学系が配設される基盤５０Ａと、基盤５０Ａの周囲を囲む枠状の側壁５０Ｂとを有すると共に、基盤５０Ａが側壁５０Ｂの略中央部に設けられてハウジング５０を上下に仕切る構造である。そして、４つの光源ユニット５２，５３，５４，５５は、ハウジング５０の側壁５０Ｂに配置され感光体の並設方向と略同方向に並設されており、光偏向器６２はハウジング５０の基盤５０Ａの略中央部に配置され、光学系を構成する光学部材（結像用レンズ６３ ，６４ ，６９ ，７０ ，７１ ，７２ 、光路折り返し用ミラー６５，６６，６７，６８，７３，７４，７５，７６，７７，７８，７９，８０等）は、基盤５０Ａの両面（上面側と下面側）に分けて配設されている。
【００３８】
また、ハウジング５０の上部と下部にはカバー８７，８８が設けられており、下部側のカバー８７には光ビームを通過する開口が設けられ、その開口には防塵ガラス８３，８４，８５，８６が取り付けられている。
【００３９】
この光書込装置５では、図示しない原稿読み取り装置（スキャナー）あるいは画像データ出力装置（パーソナルコンピュータ、ワードプロセッサ、ファクシミリの受信部等）から入力される色分解された画像データを光源駆動用の信号に変換し、それに従い各光源ユニット５２，５３，５４，５５内の光源（半導体レーザ（ＬＤ））を駆動して光ビームを出射する。
【００４０】
各光源ユニット５２，５３，５４，５５から出射された光ビームは、面倒れ補正用のシリンドリカルレンズ５６，５７，５８，５９（図２）を通り、直接またはミラー６０，６１を介して光偏向器６２に至り、ポリゴンモータ６２ｃで等速回転されている２段のポリゴンミラー６２ａ，６２ｂで対称な２方向に偏向走査される。
尚、図1，図２，図３の構成では、ポリゴンミラーはＬ２ ，Ｌ３の光ビーム用と、Ｌ１，Ｌ４の光ビーム用の上下２段に分けた構成となっているが、１つの厚めのポリゴンミラーで偏向走査する構成としてもよい。
【００４１】
光偏向器６２のポリゴンミラー６２ａ，６２ｂで２ビームずつ２方向に偏向走査された光ビームは、例えば上下２層構成のFθレンズ等からなる結像用レンズ６３ ，６４をそれぞれ通過し、第１折り返しミラー６５，６６，６７，６８により折り返されて基盤５０Ａの開口部を通過する。この通過後、例えば長尺トロイダルレンズ等からなる第２の結像用レンズ６９，７０，７１，７２を通過し、第２折り返しミラー７３，７５，７７，７９、第３折り返しミラー７４，７６，７８，８０、防塵ガラス８３，８４，８５，８６を介して各色用の感光体ドラム１，２，３，４の被走査面上に照射され静電潜像を書き込む。
【００４２】
次に、図１に示すように、並設された４つの感光体ドラム１，２，３，４の下には、駆動ローラと複数の従動ローラに張架された転写搬送ベルト２２ａが配設されており、駆動ローラにより図中に矢印で示す方向に搬送されている。また、画像形成装置の本体下部には、記録用紙等の転写材を収納した複数の給紙部２３，２４が設置されており、この給紙部２３，２４に収納された転写材が、給紙ローラ、搬送ローラ、レジストローラ２５を介して転写搬送ベルト２２ａに給紙され、転写搬送ベルト２２ａにより担持され搬送される。
【００４３】
前記光書込装置５により各感光体１，２，３，４に形成された各潜像は、各現像部１０，１１，１２，１３のＢｋ，Ｃ，Ｍ，Ｙの各色のトナーで現像されて顕像化され、その顕像化されたＢｋ，Ｃ，Ｍ，Ｙの各色のトナー画像は、転写搬送装置２２の各転写手段１４，１５，１６，１７により転写搬送ベルト２２ａ上に担持された転写材に順次重ね合わせて転写される。そして、４色の画像が転写された転写材は定着装置２６に搬送され、定着装置２６で画像が定着された後、排紙ローラ２７により排紙トレイ２８上に排出される。
【００４４】
図４に、ポリゴンモータを発熱源（簡易的に回転中心にある軸受部を熱源の中心とした）とした場合のハウジング基盤を経由したFθレンズへの熱の伝達の様子を示す。
ポリゴンモータ回転中心を中心とした同心円状の温度分布が発生し、中心から近い順の一点鎖線が、４９℃、４６℃、４３℃の温度等高線となる。
この場合、ハウジング基盤に固定されているFθレンズ６４の温度分布は、その等高線にならい斜線で示したような温度領域となる。
【００４５】
実際にはFθレンズ６４内への伝熱があり、なだらかに温度が変化している。そのため温度偏差は緩和されているが、温度分布が存在しプラスチック製レンズ内部での膨張率が異なり、局部的な倍率ズレ、一定長の倍率の偏差が異なる問題が発生し画像の劣化を引き起こす。
【００４６】
（１）第一の実施形態…請求項１、請求項３に対応
図５は、本実施形態の拡大斜視図である。
図５において、５００はポリゴンモータである。５０１ａ，５０１ｂがポリゴンモータを配置された空間を仕切る壁（縦壁）であり、この縦壁５０１ａ，５０１ｂにより、ポリゴンミラー回転により発生する風を周囲の光学素子にいかないようにしている。
【００４７】
３個のレンズ受け部５０３ａ，５０３ｂ，５０３ｃは、円柱形状をなし、この円柱部はハウジング基盤部より一段高いところにある。壁５０１ａ，５０１ｂと円柱部（レンズ受け部）５０３ａ，５０３ｂが、それぞれリブ５０２ａ，５０２ｂで繋がれていて、円柱部５０３ａ，５０３ｂの上側に点線で示したFθレンズ５０４が配置される。前述のリブ５０２ａ，５０２ｂは、円柱部５０３ａ，５０３ｂよりも若干低くなっている。Ｆθレンズ５０４は、プラスチック製のレンズである。
【００４８】
ここで、前述のような構成とすることにより、ポリゴンモータ５００が回転したときに発生する温風（モータドライバ、コイルの発熱により温風となっている）が壁５０１ａ，５０１ｂにあたり、壁の温度が上昇する。その熱がリブ５０２ａ，５０２ｂを通じ円柱部５０３ａ，５０３ｂを暖め、円柱部５０３ｃよりも温度が高くなる。（リブによる円柱部にあたえる温度：５０３ａ＝５０３ｂ＞５０３ｃという関係）
【００４９】
一方、図４で示したように、ハウジングから直接伝わる熱による温度分布により、円柱部５０３ａ，５０３ｂは円柱部５０３ｃより低い（ハウジングからの直接的な熱伝導による温度：５０３ａ＝５０３ｂ＜５０３ｃ）ことが分かるが、本実施形態の構成にすることにより円柱部５０３ａ，５０３ｂ，５０３ｃの温度差を少なくすることができ、最終的にはＦθレンズ５０４の温度が均一になる方向となる。
【００５０】
なお、当然のことながら、つなぎ５０２ａ，５０２ｂの高さは、ポリゴンミラー５００で反射された光路よりも低い。
また、この構成にガラス，蓋部材を追加してポリゴンモータ近傍空間を密閉しても同じ効果が得られる。
さらに、本実施形態では、請求項３に記載されたように、ハウジングと一体で形成されたものとしている。
【００５１】
（２）第二の実施形態…請求項２に対応
図５で示したハウジングは、コストダウン，軽量化の目的からプラスチックにより成型されていることが多い。プラスチックは、一般的に金属系材料に比べ、熱伝導率が低く熱を伝えにくい。逆に、放熱しにくいため蓄熱してしまう。
ハウジングのサイズにもよるが、プラスチックで成型された場合、ポリゴンモータの熱はハウジングを通じた直接的な伝熱が大きく、熱容量が大きいハウジング基盤部に比べ前述のリブは伝熱量が少ない。
【００５２】
そこで、前記第一の実施形態で述べた効果を十分に発揮するためには、ハウジング基盤全体から伝わる熱に近づける必要がある。そのため、ハウジング基盤よりも熱伝導率が高い金属系、例えばアルミもしくは銅にてリブ５０２ａ，５０２ｂを形成した場合、熱伝導率が高い分、第一の実施形態に比べ、より効果的に熱を伝えることができる。
【００５３】
また、リブ５０２ａ，５０２ｂに伝わる熱量が増えるため、ハウジング基盤に伝わる熱量は若干減り、レンズ自体の温度上昇も低く抑えることができる。一般的には、モールド熱伝導率（一般的には常温時約5〜50Ｗ/m・ｋ）＜アルミもしくは銅材の放熱板（アルミ：一般的には常温時約240W/m・ｋ、銅：一般的には常温時約400W/m・ｋ）である。
【００５４】
（３）第三の実施形態…請求項４に対応
図６は、本実施形態の拡大斜視図である。
本実施形態では、図５に加え４ヶ所にハウジング固定用ボス６００と壁５０１ａ，５０１ｂを繋げている。これにより、壁５０１ａ，５０１ｂに熱を伝えやすくなり、前記第一の実施形態で説明した作用効果がより効果的になる。
【００５５】
（４）第四の実施形態…請求項５、請求項６に対応
図７は、本実施形態の拡大斜視図である。
図７に示すように、壁５０１ａ，５０１ｂとつながるリブは、収束部７００にて一ヶ所に収束されている。一ヶ所に収束された後には、そこから各々のレンズ配置用の円柱部７０１ａ，７０１ｂ，７０１ｄ，７０１ｅにリブ７０２ａ，７０２ｂ，７０２ｄ，７０２ｅが伸びた構成となっている。
【００５６】
これにより壁５０１ａ，５０１ｂの熱は収束部７００に集中し、その後のリブ７０２ａ，７０２ｂ，７０２ｄ，７０２ｅに均等に振り分けられ、万遍なくFθレンズ５０４に熱を伝えることができる。
また、請求項６については、図５の円柱部５０３ａ，５０３ｂをアルミ材質、リブ部５０２ａ，５０２ｂをハウジングと一体のモールド材質にしたときに、本実施形態の前半に記載の光書込装置よりも、収束部７００に熱は蓄熱される。これは、収束部７００がアルミとなり、熱が伝わりやすくなるからである。
【００５７】
（５）第五の実施形態…請求項７に対応
図８は、本実施形態の拡大斜視図である。
本実施形態は、前記図７に示した収束部７００から円柱部７０１ａ，７０１ｂ，７０１ｄ，７０１ｅへのリブ７０３ａ，７０３ｂ，７０３ｄ，７０３ｅの長さを等しくする。
【００５８】
前述したようにハウジングからの直接的な伝熱は、ポリゴンモータを中心にした同心円状に伝わる。これに対し、壁を利用したリブからの伝熱は、収束部７００以降のリブの長さを等しくすることにより収束部７００を中心に等しく伝熱できる。この効果により、ハウジングからの直接の伝熱による同心円外側の温度が低い部分をカバーでき、Fθレンズ５０４の温度均一化をより効果的に行うことができる。
【００５９】
（６）第六の実施形態…請求項８に対応
本実施形態は、第一〜第五の各実施形態の光書込装置を、画像形成装置（図１参照）に使用するものである。
【図面の簡単な説明】
【００６０】
【図１】一般的な画像形成装置の概略側面図である。
【図２】図１において矢印Ａ方向から見た光書込装置の平面図である。
【図３】光書込装置の詳細断面図である。
【図４】ポリゴンモータを発熱源とした場合のハウジング基盤を経由したFθレンズへの熱の伝達の様子を示す図である。
【図５】本発明の第一の実施形態の拡大斜視図である。
【図６】本発明の第三の実施形態の拡大斜視図である。
【図７】本発明の第四の実施形態の拡大斜視図である。
【図８】本発明の第五の実施形態の拡大斜視図である。
【符号の説明】
【００６１】
Ｌ１ ，Ｌ２ ，Ｌ３ ，Ｌ４  光ビーム
１ ，２ ，３ ，４  光導電性感光体（感光体ドラム）
５  光書込装置
６ ，７ ，８ ，９  帯電部（帯電ローラ、帯電ブラシ、帯電チャージャ等）
１０ ，１１ ，１２ ，１３  現像部（Ｂｋ ，Ｃ ，Ｍ ，Ｙの各色の現像装置）
１４ ，１５ ，１６ ，１７  転写手段（転写ローラ、転写ブラシ等）
１８ ，１９ ，２０ ，２１  クリーニング部（クリーニングブレード、クリーニングブラシ等）
２２  転写搬送装置
２２ａ  転写搬送ベルト
２３，２４  給紙部
２５  給紙ローラ、搬送ローラ、レジストローラ
２６  定着装置
２７  排紙ローラ
２８  排紙トレイ
２９ ，３０  フレーム
５０  ハウジング
５０Ａ  基盤
５０Ｂ  側壁
５２ ，５３ ，５４ ，５５  光源ユニット
５６，５７，５８，５９  シリンドリカルレンズ
６０，６１  ミラー
６２  光偏向器
６２ａ，６２ｂ  ポリゴンミラー
６２ｃ  ポリゴンモータ
６９，７０，７１，７２  結像用レンズ
６３，６４  Fθレンズ
６５，６６，６７，６８，７３，７４，７５，７６，７７，７８，７９，８０  光路折り返し用ミラー
８３，８４，８５，８６  防塵ガラス
８７，８８  カバー
５００  ポリゴンモータ
５０１ａ，５０１ｂ  壁（縦壁）
５０２ａ，５０２ｂ  リブ
５０３ａ，５０３ｂ，５０３ｃ  レンズ受け部（円柱部）
５０４  Fθレンズ
６００  ハウジング固定用ボス
７００  収束部
７０１ａ，７０１ｂ，７０１ｄ，７０１ｅ  円柱部
７０２ａ，７０２ｂ，７０２ｄ，７０２ｅ  リブ  
７０３ａ，７０３ｂ，７０３ｄ，７０３ｅ  リブ
【図１】
2006243177.tif 000003
【図２】
2006243177.tif 000004
【図３】
2006243177.tif 000005
【図４】
2006243177.tif 000006
【図５】
2006243177.tif 000007
【図６】
2006243177.tif 000008
【図７】
2006243177.tif 000009
【図８】
2006243177.tif 000010